【手続補正書】
【提出日】平成17年9月1日(2005.9.1)
【手続補正１】
【補正対象書類名】明細書
【補正対象項目名】特許請求の範囲
【補正方法】変更
【補正の内容】
【特許請求の範囲】
【請求項１】  前プリントされたウェブ形の記録担体（５）上に情報をプリントする特に電子写真式のプリンタ内のトラクタなしの記録担体ドライブ（８）を制御する方法であって、その際記録担体（５）はページごとに、同じような光学的なマーク（１０９）を有している形式のものにおいて、次の段階：
ａ）  記録担体（５）の前縁（１１０）を供給範囲（６９）内でプリンタの所定の当て付けマーク（６５ａ）に当て付ける段階、
ｂ）  記録担体（５）を、搬送モータ（４１，１０２）によって比較的に低い第１の速度で搬送方向（Ａ）に沿って所定の長さだけ搬送する段階、
ｃ）  センサ（５９，８５）によって搬送過程中に、記録担体（５）の所定の範囲を走査し、走査信号を評価装置（１００）に送る段階、
ｄ）  評価装置（１００）によって、走査信号がマーク（１０９）の記号と合致しているかどうかを調べる段階、
ｅ）  順次に続く同じような２つのマーク（１０９）の間の搬送長さを評価装置（１００）によって、ページ長さのための値として同定する段階、及び
ｆ）  印刷過程を、比較的に高い第２の搬送速度で開始し、搬送を、ページ長さのための同定された値で制御する段階、
を含む、プリンタ内のトラクタなしの記録担体ドライブを制御する方法。
【請求項２】  評価装置（１００）が含んでいるメモリ（１０６）内に標準ページ長さのための値を記憶し、センサ（５９，８５）によって調べられた値をページ長さのための値として同定する前に、ページ長さのための調べられた値を標準値と比較して検査し、あるいは標準値と比較した上での納得性について検査することを特徴とする、請求項１記載の方法。
【請求項３】  記録担体（５）を、ページ長さの同定の後に少なくとも１回、搬送方向（Ａ）とは逆方向に動かして、第１のマークを、センサ（８５）の作用範囲内に位置せしめ、記録担体を、調べられたページ長さを考慮して改めて、第２のマークに向かって加速し、その際、この場合使用される特徴的なドライブ値を印刷ストップ後に利用するために記憶することを特徴とする、請求項１又は２記載の方法。
【請求項４】  センサ（１０７）が記録担体のマーク（１０９）を走査する前に、センサ（１０７）をマーク（１０９）にかつ又はマークの背景に敏感化することを特徴とする、請求項１から３までのいずれか１項記載の方法。
【請求項５】  センサ（５９）を敏感化する場合に、記録担体（５）を少なくとも１回、搬送方向（Ａ）及び逆方向に搬送し、この前進運動及び後退運動中に評価装置（１００）によってセンサ（５９，８５）が信号を発したかどうか、及びいつ発したかを検査することを特徴とする、請求項４記載の方法。
【請求項６】  センサ（５９）の敏感化をスペクトルで行うことを特徴とする、請求項４又は５記載の方法。
【請求項７】  センサ（５９）の敏感化をマーク（１０９）の形状に関して行うことを特徴とする、請求項４から６までのいずれか１項記載の方法。
【請求項８】  敏感化の際に調べられたセンサ調節値を記憶することを特徴とする、請求項４から７までのいずれか１項記載の方法。
【請求項９】  マーク（１０９）として、前プリントされた書式用紙の情報を含む部分、特にテキスト部分を使用することを特徴とする、請求項１から８までのいずれか１項記載の方法。
【請求項１０】  記録担体（５）として紙を使用することを特徴とする、請求項１から９までのいずれか１項記載の方法。
【請求項１１】  前プリントされたウェブ形の記録担体（５）上に情報をプリントする特に電子写真式のプリンタ内のトラクタなしの記録担体ドライブ（８）を制御する装置であって、その際記録担体（５）はページごとに、同じような光学的なマーク（１０９）を有している形式のものにおいて、：
ａ）  記録担体（５）を、比較的に低い第１の速度で搬送方向（Ａ）に沿って所定の長さだけ搬送するように、搬送モータ（４１，１０２）を制御する制御手段（１００）と、
ｂ）  搬送過程中に、記録担体（５）の所定の範囲を走査し、走査信号を評価装置（１００）に送るセンサ（５９，８５）とを含み、その際
ｃ）  評価装置（１００）によって、走査信号がマーク（１０９）の記号と合致しているかどうかが調べられ、順次に続く同じような２つのマーク（１０９）の間の搬送長さがページ長さのための値として同定され、かつ
ｄ）  印刷過程が、比較的に高い第２の搬送速度で開始され、搬送が、ページ長さのための同定された値で制御されるようにした、
プリンタ内のトラクタなしの記録担体ドライブを制御する装置。
【請求項１２】  評価装置（１００）がメモリ（１０６）を有しており、このメモリ内に標準ページ長さのための少なくとも１つの値が記憶されており、かつ制御手段（１００）によって、調べられた値がページ長さのための値として同定される前に、センサ（５９，８５）で調べられたページ長さのための値が標準値と比較して検査され、あるいは標準値と比較した上での納得性について検査されることを特徴とする、請求項１１記載の装置。
【請求項１３】  記録担体（５）がページ長さの同定の後に少なくとも１回搬送方向（Ａ）に対して逆方向に動かされて、第１のマークがセンサ（８５）の作用範囲に位置せしめられ、記録担体が次いで調べられたページを考慮して第２のマークに向かって加速されるように、制御手段が構成されており、その際使用された特徴的なドライブ値が印刷ストップの後に利用するために記憶されるようにしたことを特徴とする、請求項１１又は１２記載の装置。
【請求項１４】  センサ（１０７）がマーク（１０９）及び又はマーク（１０９）の背景に対して敏感化されていることを特徴とする、請求項１１から１３までのいずれか１項記載の装置。
【請求項１５】  センサ（５９）の敏感化が制御手段（１００）によって次のように、すなわち記録担体（５）が少なくとも１回搬送方向（Ａ）で前後に搬送され、この前進運動及び後退運動中に評価装置（１００）によって、センサ（５９，８５）が信号を発したかどうか、及びいる信号を発したかが検査されるように、行われることを特徴とする、請求項１４記載の装置。
【請求項１６】  センサ（５９）がスペクトルで敏感化されていることを特徴とする、請求項１４又は１５記載の装置。
【請求項１７】  センサ（５９）がマーク（１０９）の形状に関して敏感化されていることを特徴とする、請求項１４から１６までのいずれか１項記載の装置。
【請求項１８】  センサ（５９）の敏感化の際に調べられたセンサ調節値が制御手段（１００）内に記憶されていることを特徴とする、請求項１４から１７までのいずれか１項記載の装置。
【請求項１９】  請求項１１から１８までのいずれか１項記載の制御装置が設けられていることを特徴とする、プリンタ内で記録担体をトラクタなしで搬送する装置。
【請求項２０】  請求項１１から１９までのいずれか１項記載の装置を備えたプリンタ。
【請求項２１】  特に電子写真式のプリンタ内のウェブ形の記録担体（５）のためのトラクタなしの記録担体ドライブ（８）を制御する方法であって、その際ウェブ形の記録担体（５）はページごとに、同じような光学的なマーク（１０９）を有している形式のものにおいて、次の段階：
ａ）  記録担体（５）をまず第１の速度で搬送し、このときに評価装置（１００）によってセンサ（５９，８５）を介して、順次に続く同じような２つのマーク（１０９）の間の記録担体（５）の搬送長さを検出して、該搬送長さをページ長さのための値として同定する段階、
ｂ）  印刷のために記録担体（５）を、前記第１の速度に比べて高められた搬送速度で搬送し、搬送を、ページ長さのための同定された値で制御する段階
を含む、トラクタなしの記録担体ドライブを制御する方法。